(57)【要約】    【課題】  車椅子利用者や弱視者などの非健常者が行いにくいジャム処理が発生することを未然に防ぎ、非健常者の利便性を向上させる画像形成装置を提供する。    【解決手段】  画像形成部１００に設けられた内部トレイ１１４、及び後処理装置１０に設けられた第一から第四トレイ２９、１８、１９、２７と、操作者が非健常者であるか否かを判断する操作者判断手段とを有し、前記操作者判断手段によって操作者が非健常者であると判断されるときに、前記複数箇所に設けられたトレイのうち車椅子利用者などの非健常者がアクセスしやすい内部トレイ１１４に転写紙が排出されるように制御される。【選択図】      図１
2005164848.tif 000002
【特許請求の範囲】
【請求項１】
転写紙が排出される排出部が装置本体及び後処理装置を含む複数箇所に設けられた画像形成装置であって、操作者が非健常者であるか否かを判断する操作者判断手段を有し、前記操作者判断手段によって操作者が非健常者であると判断されるときに、前記複数箇所に設けられた排出部のうち、操作者が取り扱いやすい所定の排出部に転写紙が排出されるように制御されることを特徴とする画像形成装置。
【請求項２】
前記所定の排出部は、前記装置本体に設けられた排出部であることを特徴とする請求項１に記載の画像形成装置。
【請求項３】
ソート処理、ステイプル処理、パンチ処理、インサート処理、製本処理、及び折り処理のうち少なくとも一つの後処理機能が選択可能に備えられ、前記操作者判断手段によって操作者が非健常者であると判断されるときに、前記後処理機能が選択されないように制御されることを特徴とする請求項１又は２に記載の画像形成装置。
【請求項４】
ソート処理、ステイプル処理、パンチ処理、インサート処理、製本処理、及び折り処理のうち少なくとも一つの後処理機能が選択可能に備えられ、
前記操作者判断手段によって操作者が非健常者であると判断されるときに、前記後処理機能が選択された場合に前記後処理機能が選択されない場合よりも転写紙の給紙紙間が広く開くように制御されることを特徴とする請求項１に記載の画像形成装置。
【請求項５】
前記操作者判断手段は、操作者が有するＩＣカードに記憶された情報を読み取って判断することを特徴とする請求項１から４のいずれかに記載の画像形成装置。
【発明の詳細な説明】
【技術分野】
【０００１】
本発明は、複写機・プリンター・ファクシミリなどの画像形成装置、詳しくは非健常者が使用することを考慮した画像形成装置に関する。
【背景技術】
【０００２】
複写機などの画像形成装置では、転写紙に画像形成を行う画像形成手段が備えられ、前記画像形成手段から搬送される転写紙にステイプル処理、ソート処理、製本処理などを行うために後処理装置が取り付けられたものがある。
【０００３】
前記画像形成手段では、例えば、感光体上にレーザ露光手段で潜像を作成し、この潜像を現像手段でトナー画像とし、給紙部から給紙される転写紙に該トナー画像を転写し、熱定着で転写紙上にトナー画像を定着させる。そして、画像形成後の転写紙は画像形成手段に設けられた内部排出部に排出される。または、該転写紙は前記後処理装置に搬送され後処理装置に設けられた排出部に排出される。
【０００４】
前記後処理装置には、目的別に複数の排出部を有するものがある。例えば、コピー出力に対応したコピー用排出部と、プリンタやファクシミリによる出力に対応したプリンタ用排出部とを有する。
【０００５】
画像形成装置本体に設けられた内部排出部は装置上部から見にくく、また、後処理装置を介さないため転写紙を排出するときにステイプル処理など後処理を行うことができない。そのため、コピーなどを多く使う機能では後処理装置の上段に位置するコピー用排出部が選択されることが通例である。
【０００６】
一方、このような画像形成装置では、車椅子利用者などの非健常者によって操作されることを考慮した提案が従来なされてきている（例えば、特許文献１及び２参照）。一例として、車椅子利用者が画像形成装置を操作するときに装置を上下させ操作しやすくする装置や、弱視者が画像形成装置を操作するときに操作部表示を大きくする装置などがある。
【特許文献１】特開２００３ー１８６２６６号公報
【特許文献２】特開２００２ー３７０４２１号公報
【発明の開示】
【発明が解決しようとする課題】
【０００７】
しかしながら、後処理装置のコピー用排出部は、健常者にとって取り扱いやすい構成である一方で、排出部であるトレイ（転写紙が積載されるもの）そのものが上下するため、トレイの位置によっては非健常者にとって取り扱いにくいことがある。
【０００８】
また、後処理装置は、トレイの移動、排出口の切り替え、ステイプル機構、製本機構など複雑な機構が比較的小さな枠体内部に内包されるため、装置内部が複雑なことが多い。そのため、後処理装置内部でジャムが発生すると、ジャム処理は複写機本体で発生するジャムより煩雑になることが多く、後処理装置は非健常者にとってジャム処理がしにくい場所である。
【０００９】
そこで、本発明の目的は、上記した問題を解決するためになされたものであり、非健常者の利便性を向上させた画像形成装置を提供することである。
【課題を解決するための手段】
【００１０】
上記問題を解決するために本発明では以下のような構成を有する。
【００１１】
本発明に係る第１の構成は、転写紙が排出される排出部が装置本体及び後処理装置を含む複数箇所に設けられた画像形成装置であって、操作者が非健常者であるか否かを判断する操作者判断手段を有し、前記操作者判断手段によって操作者が非健常者であると判断されるときに、前記複数箇所に設けられた排出部のうち、操作者が取り扱いやすい所定の排出部に転写紙が排出されるように制御されることを特徴とする画像形成装置である。
【００１２】
本発明に係る第２の構成は、上記第１の構成において、前記所定の排出部は非健常者前記装置本体に設けられた排出部であることを特徴とする画像形成装置である。
【００１３】
本発明に係る第３の構成は、上記第１又は第２の構成において、ソート処理、ステイプル処理、パンチ処理、インサート処理、製本処理、及び折り処理のうち少なくとも一つの後処理機能が選択可能に備えれ、前記操作者判断手段によって操作者が非健常者であると判断されるときに、前記後処理機能が選択されないように制御されることを特徴とする画像形成装置である。
【００１４】
本発明に係る第４の構成は、上記第４の構成において、ソート処理、ステイプル処理、パンチ処理、インサート処理、製本処理、及び折り処理のうち少なくとも一つの後処理機能が選択可能に備えられ、前記操作者判断手段によって操作者が非健常者であると判断されるときに、前記後処理機能が選択される場合、前記後処理機能が選択されない場合よりも転写紙の給紙紙間が広く開くように制御されることを特徴とする画像形成装置である。
【００１５】
本発明に係る第５の構成は、上記第１から第４の構成において、前記操作者判断手段は、操作者が有するＩＣカードに記憶された情報を読み取って判断することを特徴とする画像形成装置。
【発明の効果】
【００１６】
請求項１から４に係る発明によれば、車椅子利用者や弱視者などの非健常者が行いにくいジャム処理が発生することを未然に防ぎ、非健常者の利便性を向上させることができる。
【００１７】
請求項１に係る発明によれば、操作者が非健常者である場合、操作者が取り扱いやすい箇所に設けられた排出部に転写紙が排出されるため、操作者は負担となるような姿勢をせずに排出部から転写紙を取り出すことができ、画像形成装置の取り扱い性を向上させる。
【００１８】
請求項２に係る発明によれば、操作者が非健常者である場合、装置本体に設けられた排出部に転写紙が排出され、後処理装置に設けられた排出部に設けられた排出部に転写紙が排出されないため、複雑なジャム処理が発生しないようになる。
【００１９】
請求項３に係る発明によれば、操作者が非健常者である場合、後処理機能が選択されないため、複雑なジャム処理が発生しないようになる。
【００２０】
請求項４に係る発明によれば、操作者が非健常者である場合、後処理機能を選択されると給紙紙間が広く開くため、ジャム処理の発生率が低減し、非健常者は後処理機能を使用しながらほとんどジャム処理を行わないですむようになる。
【発明を実施するための最良の形態】
【００２１】
以下、本発明に係る実施の形態について図面を参照して説明する。なお、本実施の形態における例示が本発明を限定することはない。
【００２２】
（第１の実施の形態）
以下、本発明に係る第１の実施の形態について図１から図３を用いて説明する。
【００２３】
図２は、本第１の実施の形態に係る画像形成装置の一形態であるデジタル複合機の本体構成を示す図である。
【００２４】
図２において、原稿搬送部１３０は以下のように構成されている。
【００２５】
原稿置き台１３１にセットされた原稿は給紙ローラ１３２によって１枚ずつ原稿読取位置まで搬送される。モータ１３６によって駆動される原稿搬送ベルト１３７で所定の位置に原稿が配置され、原稿の読取動作が原稿読取部１２０にてなされる。原稿の読取動作後は、フラッパー１３５にて搬送経路が変更され、モータ１３６を逆転することで原稿が原稿排出トレイ１３８に排出される。
【００２６】
前記原稿読取部１２０は以下のように構成されている。
【００２７】
露光ランプ１２２は、蛍光灯、ハロゲンランプなどからなり、その長手方向に対して直交する方向（図２中左右方向）に移動しながら、原稿載置ガラス（原稿台）１２６上の原稿を照射する。露光ランプ１２２の照射による原稿からの散乱光は、第１、第２ミラー台１２１、１２３に反射され、レンズ１２４に到達する。このとき、第１ミラー台１２１の移動に対して、第２のミラー台１２３は、１／２のスピードで移動し、照射した原稿面から、レンズ１２４までの距離は常に一定に保たれる。第１ミラー台１２１、第２ミラー台１２３はモータ１２５によって移動される。原稿上の像は、ミラー台１２１、１２３、レンズ１２４を介して、数千個の受光素子がライン配列されたＣＣＤラインセンサー１２７の受光部上に結像され、ＣＣＤラインセンサー１２７により逐次、ライン単位で光電変換される。光電変換された信号は、図示せぬ信号処理部で処理され、ＰＷＭ変調されて出力される。
【００２８】
また、画像形成部１００は以下のように構成されている。
【００２９】
露光制御部１１５は、上記した信号処理部の出力であるＰＷＭ変調した画像信号に基づいて半導体レーザ１０１を駆動し、光ビーム１１６を定速回転している感光体１０７の表面に照射する。このとき、モータ１０３によって回転しているポリゴンミラー１０２によって、ドラム形状の感光体１０７の軸方向と平行に光ビーム１１６が偏向走査される。なお、感光体１０７は、光ビーム１１６が照射される前に、図示せぬ前露光ランプによりドラム上の残量電荷が除電されたのち、図示せぬ一次帯電器によって感光体１０７の表面が均一に帯電される。そして、感光体１０７は回転しながら光ビーム１１６が照射されることにより、感光体１０７の外周表面に静電潜像が形成される。その後、現像器１０４により、感光体１０７上の静電潜像が所定色の現像剤（トナー）を用いて可視化される。
【００３０】
また、転写紙給紙段１４０、１５０、１６０、１７０、１８０から搬送される転写紙は、レジストローラ１０６まで搬送される。レジストローラ１０６は、センサ１０５を用いて転写紙の到達を検知し、感光体１０７に形成された画像先端と、転写紙の先端のタイミングを合わせて転写位置に転写紙を給紙する。１０８は転写帯電器で、感光体１０７上の現像されたトナー像を給送された転写紙に転写する。転写後、感光体１０７は、図示せぬクリーナーにより、感光体１０７の表面から残ったトナーが除去される。転写の終了した転写紙は、感光体１０７の曲率が大きいため、感光体１０７から分離しやすいが、さらに、図示せぬ除電針に電圧をかけることで、感光体１０７と転写紙の間の吸着力を弱め、分離を行いやすくしている。
【００３１】
感光体１０７から分離された転写紙は、定着部１０９に送られトナーが定着される。定着部１０９は、セラミック・ヒーター１１０、及びフィルム１１１、２つのローラ１１３を有する。セラミック・ヒーター１１０の熱は、薄いフィルム１１１を介して転写紙に効率よく伝達される。不図示の給送ローラは、大ローラ１つと小ローラ２つで構成され、定着部からの転写紙を給送すると共に、転写紙の巻き癖を補正する。
【００３２】
方向フラッパー１１２は、転写紙の排出先を動作モードに応じて内部トレイ１１４と搬送ユニット１９０とに切り替える。
【００３３】
前記内部トレイ１１４は、画像形成部１００内に設けられた転写紙の排出部であり、後述する後処理装置１０に転写紙が搬送されない場合に転写紙が排出される。前記搬送ユニット１９０は、転写紙を後処理装置１０まで搬送するためのユニットで、ローラ１９１によって転写紙が搬送される。
【００３４】
また、本体給紙段１４０、１５０、１６０、１７０はそれぞれ同じ機構で構成される。デッキ給紙段１８０は、本体給紙段１４０、１５０、１６０、１７０より大量の転写紙を収容できる。
【００３５】
前記本体給紙段１４０、１５０、１６０、１７０はほぼ同等の構成を取っているので、本体給紙段１４０を例にとってその構成を説明する。
【００３６】
転写紙を収容するカセット１４１の底面には、リフトアップモータ１４３によって上下する底板１４２が配置されている。この底板１４２が上昇することで所定の待機高さで転写紙を待機することができる。所定の位置で待機している転写紙は、ピックアップローラ１４４を使って給紙ローラ対１４５まで搬送される。給送ローラ１４５対は、給紙と逆回転方向にトルクがかけられており、これにより転写紙の重送を防止しつつ転写紙を一枚ずつ搬送パスへと送り出している。また、搬送ローラ対１４６は本体給紙段１４０より下方にある給紙段から搬送されてきた転写紙をさらに上方に搬送する。
【００３７】
前記デッキ給紙段１８０は以下のように構成されている。
【００３８】
転写紙を収容する紙庫１８１の底面にも転写紙を待機位置まで上昇させる底板１８２が配置されている。底板１８２はモータ１８３によって回転するベルト１８６に接続されており、このベルト１８６が移動することで底板１８２の上昇・下降を制御している。待機位置にある転写紙はピックアップローラ１８５で給紙ローラ対１８４まで搬送され、本体給紙と同様に重送を防止しつつ搬送パスへと搬送される。
【００３９】
また、後処理装置１０は以下のように構成されている。
【００４０】
後処理装置１０では、画像形成部１００の搬送部１９０から搬送される転写紙を、搬送部１９０の出口近傍に設けられたローラ１１によって後処理装置１０の内部に搬送する。
【００４１】
後処理装置１０に搬送された転写紙の出力先として第一トレイ２９が選択されている場合には、前記ローラ１１の搬送方向下流側に設けられたフラッパー１２によって、搬送方向が第一トレイ２９側に切り替えられ、ローラ２８を用いて転写紙が第一トレイ２９に排出される。第一トレイ２９は、通常の処理中に割り込んで行われる処理などの排出先としてテンポラリに使用される。
【００４２】
第二トレイ１８及び第三トレイ１９は通常排出用のトレイである。前記フラッパー１２によって搬送路が下方側に切り替えられたのち、フラッパー１２の搬送方向下流側に設けられたフラッパー１３によってローラ１６の方へ搬送路がさらに切り替えられることによって、第二及び第三トレイ１８及び１９方向に転写紙が搬送される。
【００４３】
また、前記フラッパー１３によって搬送路が垂直下方側に切り替えられ、さらに、フラッパー１３の搬送方向下流側に設けられたフラッパー１４によって搬送路が垂直下方に切り替えられたのち、反転ローラ１５によって搬送方向が逆転され、前記フラッパー１４によって搬送路が第二及び第三トレイ１８及び１９側に切り替えられることで、第二及び第三トレイ１８及び１９に転写紙が反転されて排出される。
【００４４】
また、第二及び第三トレイ１８及び１９がシフトモータ２０によって上下動されることによって、転写紙が第二及び第三トレイ１８及び１９のいずれかに排出されるように調整される。
【００４５】
また、第二及び第三トレイ１８及び１９へ転写紙が排出されるときには、第二及び第三トレイ１８及び１９への排出口近傍に設けられたステイプラ１７によって、転写紙にステイプル処理を行うことができる。
【００４６】
また、第四トレイ２７は複数枚の転写紙を製本するときに使用される。転写紙は、フラッパー１２、１３、１４によってローラ１５に搬送されたのち、ローラ２１に搬送され、さらにローラ２２によって一次収容部２３へ搬送される。そして、複数の転写紙を順次一次収容部２３に収容させる。複数の転写紙が一次収容部２３に収容されたのちに、転写紙の綴じ位置に対応して設けられたステイプラ２４によって製本処理が行われる。そして、製本された転写紙は、フラッパー２５の方向が第四トレイ２７側にされたのち、ローラ２２が収容時とは逆方向に回転されることによって、ローラ２６を経由して第四トレイ２７に排出される。
【００４７】
上記した後処理装置１０でジャムが発生した場合には、以下の手順によってジャム処理が行われる。
（１）後処理装置１０を画像形成部１００から遠ざかる方向（図２中左側）にスライドさせる。
（２）第一トレイ２９に関するジャム、例えばローラ１１からローラ１３にいたる系で転写紙がつまった状態では、後処理装置１０の上面を開閉し、転写紙を取り出すなどしてジャム処理が行われる。
（３）第二及び第三トレイ１８及び１９に関するジャム、例えばフラッパー１２からステイプラ１７にいたる系で転写紙がつまった状態では、フラッパー１２からステイプラ１７にいたる搬送路を手前に引き出し、転写紙を取り出すなどしてジャム処理が行われる。
（４）縦搬送路に関するジャム、例えばフラッパー１４からフラッパー２５にいたる系で転写紙がつまった状態では、後処理装置１０の画像形成部１００側面（図２中右側面）のカバーを開閉し、転写紙を取り出すなどしてジャム処理が行われる。
（５）第四トレイ２７に関するジャム、例えばフラッパー２５からローラ２６にいたる系で転写紙がつまった状態では、フラッパー２５からローラ２６にいたる搬送路を手前に引き出すなどしてジャム処理が行われる。
【００４８】
上記した（２）、（３）及び（５）のジャム処理においては、搬送路の引き出しや、後処理装置１０の上方から視認が必要であり、非健常者、特に車椅子利用者にとってはその操作が困難となることがある。
【００４９】
一方、各排出トレイは、使用される機能に応じて以下のように設定される。
【００５０】
第一トレイ２９：テンポラリな出力、第二トレイ１８：コピー出力、第三トレイ１９：プリンタ、ファクシミリ出力、第四トレイ２７：製本時の出力、内部トレイ１１４：ＯＨＰ紙など特殊紙の出力。
【００５１】
なお、内部トレイ１１４は画像形成装置１００に後処理装置１０が接続された場合には通常使用されない。ただし、屈曲の強い搬送路を避けるべき転写紙（ＯＨＰや封筒など）の場合には、内部トレイ１１４が使用される。後処理装置１０は、搬送経路が複雑であり搬送路の屈曲が大きくなるため、ＯＨＰや封筒などが搬送されないようにする。
【００５２】
図３は、本第１の実施の形態に係るデジタル複合機の制御回路のブロック図である。
【００５３】
図３において、制御用ＣＰＵ２０１はＲＯＭ２０２とＲＡＭ２０３を使用して各装置のシーケンス制御を行う。操作部コントローラ２１１は操作者２４２に情報を表示するＬＣＤ２１２と、操作者２４２からの情報入力手段であるタッチパネル２１３とを制御・検知する。Ｉ／Ｏコントローラ２２１は転写紙搬送などに必要なモータ２２３、クラッチ２２４、ソレノイド２２５などをＣＰＵ２０１からの命令に基づいてドライバ２２２を介して制御する。図示しない各種センサからの信号入力もＩ／Ｏコントローラ２２１で行う。ＩＣカード受信部２３１は、操作者２４２が所持しているＩＣカード２４１からの電波をアンテナ２３２で受け、受信したデータをＣＰＵ２０１が理解できる形の情報形態にデコードする。
【００５４】
そして、操作者２４２が所持するＩＣカード２４１から情報を受信し、操作者２４２の情報を判断することで、操作者への情報の掲示、操作者からの情報入力、転写紙の搬送制御が可能となる。
【００５５】
図１は、図３に示す制御回路によって非健常者対応を行う場合のフローチャートである。各ステップに符号を付して説明する。
【００５６】
初めに、デジタル複合機はＩＣカードからの操作者情報などの情報入力待ち状態で待機する。
【００５７】
図１に示すように、Ｓ３０２では、ＩＣカードから操作者情報の入力があったか否かが検知される。ＩＣカードからの操作者情報の入力があった場合にＳ３０３に進む。
【００５８】
Ｓ３０３では、ＩＣカードから入力された操作者情報から、操作者が非健常者であるか否かが検知される。操作者が非健常者である場合にＳ３０４に進み、操作者が非健常者でない場合にＳ３０７に進む。
【００５９】
Ｓ３０４では、転写紙の排出トレイを車椅子利用者などの非健常者がアクセスしやすい内部トレイ１１４に限定し、第一から第四トレイ３１、１８、１９、２７は使用されないように制御する。
【００６０】
Ｓ３０５では、ステイプル機能や製本機能を選択項目から削除するように制御する。
【００６１】
一方、Ｓ３０７では、転写紙が用途に応じて内部トレイ１１４、及び第一から第四３１、１８、１９、２７のそれぞれに排出されるように制御される。
【００６２】
このように、ＩＣカードからの操作者情報によって非健常者であると判断されると、転写紙の排出が車椅子利用者などの非健常者がアクセスしやすい内部トレイ１１４に限定されるとともに、選択機能からステイプル機能と製本機能が削除されることにより、後処理装置１０に転写紙が搬送されないようになる。そのため、後処理装置１０でジャム処理を行うことがなく、しゃがみこんだり、上から覗き見たりするなど、非健常者にとって負担となるような姿勢をする必要がなくなる。
【００６３】
一方、ＩＣカードからの操作者情報によって健常者であると判断されると、ジャム処理時にしゃがみこんだり、上から覗き見たりする姿勢をすることに問題がないため、全ての内部トレイ１１４、及び第一から第四トレイ３１、１８、１９、２７を使用して、通常の処理を行うことができる。
【００６４】
以上説明したように、本第１の実施の形態によれば、非健常者と健常者が使用するデジタル複合機において、非健常者にとってジャム処理が困難と予想される排出トレイを選択せずに、コピー機能の排出先を非健常者にとって操作が容易なトレイと限定することで、避けられないジャム発生においても非健常者の利便性を向上させる。
【００６５】
（第２の実施の形態）
以下、本発明に係る第２の実施の形態について図４を用いて説明する。なお、上記した第１の実施の形態と同様の構成については説明を省略する。
【００６６】
図４は、非健常者がステイプル機能もしくは製本機能を選択した場合のフローチャートである。各ステップに符号を付して説明する。
【００６７】
図４に示すように、Ｓ４０２では、ＩＣカードから操作者情報の入力があったか否かが検知される。ＩＣカードからの操作者情報の入力があった場合にＳ４０３に進む。
【００６８】
Ｓ４０３では、ＩＣカードから入力された操作者情報から、操作者が非健常者であるか否かが検知される。操作者が非健常者である場合にＳ４０５に進み、操作者が非健常者でない場合にＳ４０８に進む。
【００６９】
Ｓ４０５では、ステイプル機能もしくは製本機能が選択されたか否かが検知される。選択された場合Ｓ４０６に進み、選択されない場合Ｓ４１０に進む。
【００７０】
Ｓ４０６では、給紙紙間を通常よりも広く開けて給紙動作を行う。
【００７１】
Ｓ４１０では、通常の給紙紙間でコピー動作を行う。
【００７２】
一方、Ｓ４０８では、転写紙が用途に応じて内部トレイ１１４、及び第一から第四３１、１８、１９、２７のそれぞれに排出されるように制御される。
【００７３】
このように、ＩＣカードからの操作者情報によって非健常者であると判断されると同時に、ステイプル機能もしくは製本機能が選択されると給紙間隔が広く開くように制御されることにより、非健常者がステイプル機能や製本機能を使用する場合に、後処理装置１０でのジャムの発生率を下げることができる。また、操作者が非健常者であるときに、ステイプル機能もしくは製本機能が選択されない場合は、後処理装置１０に転写紙が搬送されないため、通常の給紙紙間でコピー動作が行われる。
【００７４】
以上説明したように、本第２の実施の形態によれば、給紙紙間を制御することにより、非健常者がジャム処理をしにくい後処理装置を使用するプリント動作においても、避けられないジャム発生の確率を下げる動作制御を行うことにより、非健常者の利便性を向上させる。
【図面の簡単な説明】
【００７５】
【図１】本発明の第１の実施の形態に係るデジタル複合機における転写紙の搬送工程を説明するためのフローチャートである。
【図２】本発明の第１の実施の形態に係るデジタル複合機の本体構成を示す図である。
【図３】本発明の第１の実施の形態に係る制御回路のブロック図である。
【図４】本発明の第２の実施の形態に係るデジタル複合機における転写紙の搬送工程を説明するためのフローチャートである。
【符号の説明】
【００７６】
１０    後処理装置
１１    ローラ
１２    フラッパー
１３    フラッパー
１４    フラッパー
１５    ローラ
１６    ローラ
１７    ステイプラ
１８    第二トレイ
１９    第三トレイ
２０    シフトモータ
２１    ローラ
２２    ローラ
２３    一次収容部
２４    ステイプラ
２５    フラッパー
２６    ローラ
２７    第四トレイ
２８    ローラ
２９    第一トレイ
１００    画像形成部
１０１    半導体レーザ
１０２  ポリゴンミラー
１０３  モータ
１０４  現像器
１０５    センサ
１０６    レジストローラ
１０７    感光体
１０８    転写帯電器
１０９    定着部
１１０    セラミック・ヒーター
１１１    フィルム
１１２    フラッパー
１１３    ローラ
１１４    内部トレイ
１１５    露光制御部
１１６    光ビーム
１２０    原稿読取部
１２１    第一ミラー台
１２２    露光ランプ
１２３    第二ミラー台
１２４    レンズ
１２５    モータ
１２６    原稿台
１２７    ＣＣＤラインセンサー  １３０    原稿搬送部
１３１    原稿置き台
１３２    給紙ローラ
１３４    ローラ
１３５    フラッパー
１３６    モータ
１３７    原稿搬送ベルト
１３８    原稿排出トレイ
１４０、１５０、１６０、１７０    本体給紙段
１４１、１５１、１６１、１７１    カセット
１４２、１５２、１６２、１７２    底板
１４３、１５３、１６３、１７３    リフトアップモータ
１４４、１５４、１６４、１７４    ピックアップローラ
１４５、１５５、１６５、１７５    給紙ローラ
１８０    デッキ給紙段
１８１    紙庫
１８２    底板
１８３    モータ
１８４    給紙ローラ対
１８５    ピックアップローラ
１８６    ベルト
１９０    搬送ユニット
１９１    ローラ
２０１    ＣＰＵ
２０２    ＲＯＭ
２０３    ＲＡＭ
２１１    操作部コントローラ
２１２    ＬＣＤ
２１３    タッチパネル
２４２    操作者
２２１    Ｉ／Ｏコントローラ
２２２    ドライバ
２２３    モータ
２２４    クラッチ
２２５    ソレノイド
２３１    ＩＣカード受信部
２３２    アンテナ
２４１    ＩＣカード
２４２    操作者
【図１】
2005164848.tif 000003
【図２】
2005164848.tif 000004
【図３】
2005164848.tif 000005
【図４】
2005164848.tif 000006